(57)【特許請求の範囲】
【請求項１】
各々が人間の糞便および／または尿のための容器（２１、３１）を有する１つ以上のウォークイン位置（２０、３０）を有するハウジング（１０）を備える公衆衛生装置（１）であって、前記ハウジングに、地下に設置することが意図された第１のハウジング部（１１）と、前記第１のハウジング部の中に移動可能に受容される第２のハウジング部（１２）と、前記第２のハウジング部の中に移動可能に受容される第３のハウジング部（１３）とが設けられ、前記衛生装置が、地下の静止位置と地上の使用位置との間で、前記第２のおよび第３のハウジング部を移動させるための駆動部を備え、前記ウォークイン位置のうちの少なくとも１つに、前記ウォークイン位置を閉鎖するための扉（４０）が設けられ、前記扉が、少なくとも第１および第２の扉セグメント（４１、４２）を備え、扉セグメントが、互いに対して長手方向に移動可能であり、前記第２のハウジング部（１２）が、前記第１の扉セグメント（４１）を備え、前記第３のハウジング部（１３）が、前記第２の扉セグメント（４２）を備え、前記第２の扉セグメント（４２）が、前記第１の扉セグメント（４１）の中に摺動可能に受容されることを特徴とする、公衆衛生装置。
【請求項２】
前記第２の扉セグメント（４２）が、下側に、拡幅ベース（４３）を設けられ、前記第１の扉セグメント（４１）が、中空形態を採り、上側に、前記ベースを受容する狭窄した長手方向開口（４４）を設けられる、請求項１に記載の公衆衛生装置。
【請求項３】
前記扉が、前記使用位置において、開放位置と閉鎖位置との間で前記ハウジングの横方向に移動可能であり、前記開放位置において、前記扉が、前記ハウジングの中に少なくとも部分的に受容される、請求項１または２に記載の公衆衛生装置。
【請求項４】
前記ハウジングが、前記開放位置において前記扉を受容するための、少なくとも部分的に閉鎖された空間（６０）をさらに備える、請求項３に記載の公衆衛生装置。
【請求項５】
前記扉が、前記ハウジングの内面に沿って延伸するレール（４５）に装着される、請求項３または４に記載の公衆衛生装置。
【請求項６】
前記扉が、実質的にまっすぐな表面を有する、請求項１〜５のいずれか１項に記載の公衆衛生装置。
【請求項７】
前記ハウジングの前記表面が、少なくとも部分的に湾曲している、請求項１〜６のいずれか１項に記載の公衆衛生装置。
【請求項８】
前記ハウジングが、前記第３のハウジング部（１３）の中に移動可能に受容される１つ以上のさらなるハウジング部を備え、扉セグメントの数が、前記使用位置において地上に据え置かれるハウジング部の数に対応する、請求項１〜７のいずれか１項に記載の公衆衛生装置。
【請求項９】
前記ハウジングが、２つ以上のウォークイン位置を備え、前記ウォークイン位置（２０）のうちの少なくとも１つに、前記扉が設けられ、前記ウォークイン位置（３０）のうちの少なくとも１つに、前記扉が設けられない、請求項１〜８のいずれか１項に記載の公衆衛生装置。
【請求項１０】
前記駆動部が、各々が互いの中に摺動可能ないくつかの部分を備える、１つ以上の、好ましくは３つのロッドを備える、請求項１〜９のいずれか１項に記載の公衆衛生装置。
【請求項１１】
前記ロッドが、油圧シリンダ、好ましくはテレスコープ形シリンダである、請求項１０に記載の公衆衛生装置。
【請求項１２】
前記移動可能なハウジング部（１２、１３）が、互いの中に入れ子状に摺動可能である、請求項１〜１１のいずれか１項に記載の公衆衛生装置。
【請求項１３】
前記１つ以上の容器（２１、３１）が、前記第２のハウジング部（１２）の中に配置される、請求項１〜１２のいずれか１項に記載の公衆衛生装置。
【請求項１４】
前記１つ以上の容器（２１、３１）が、下水システムへの接続のための排水管に接続可能である、請求項１〜１３のいずれか１項に記載の公衆衛生装置。
【発明の詳細な説明】
【技術分野】
【０００１】
本発明は、各々が人間の糞便および／または尿のための容器を備える１つ以上のウォークイン位置を有するハウジングを備える公衆衛生装置に関し、ハウジングには、地下に設置することが意図された第１のハウジング部と、第１のハウジング部の中に移動可能に受容される第２のハウジング部と、第２のハウジング部の中に移動可能に受容される第３のハウジング部とが設けられ、衛生装置は、地下の静止位置と地上の使用位置との間で、第２および第３のハウジング部を移動させるための駆動部を備える。
【背景技術】
【０００２】
そのような公衆衛生装置は、同じ出願人の欧州特許第ＥＰ１２３２３１３号により既知である。既知の公衆衛生装置は、ウォークイン位置のみを有し、男性によって用いられることが意図されている。使用位置における地上に置かれているハウジングの一部は、互いの中に摺動可能な２つ以上のハウジング部を備え、これは、既知の公衆衛生装置に、比較的小さな総深さを付与する。
【０００３】
出願人はまた、女性バージョンを販売し、これには、ウォークイン位置を閉鎖するための扉を有する１つのウォークイン位置が設けられている。女性バージョンは、使用位置において地上に位置し、その全体が地下の静止位置から、かつそこまで摺動可能である、１つのみのハウジング部を有する。閉鎖可能な公衆衛生装置は、閉鎖不可能な公衆衛生装置よりも大きな総深さを有する。
【発明の概要】
【発明が解決しようとする課題】
【０００４】
本発明は、この目的のために、前文で述べられたタイプの公衆衛生装置を提供する必要があり、ウォークイン位置のうち少なくとも１つには、ウォークイン位置を閉鎖するための扉が設けられる。閉鎖可能なウォークイン位置によって、公衆衛生装置は、女性および男性、ならびに障碍者に普遍的に適用可能になる。
【課題を解決するための手段】
【０００５】
本発明による公衆衛生装置は、この目的のために、扉が、少なくとも第１および第２の扉セグメントを備え、扉セグメントが、互いに対して長手方向に移動可能であり、第２のハウジング部が、第１の扉セグメントを備え、第３のハウジング部が、第２の扉セグメントを備えるという特徴をさらに有する。
【０００６】
本発明による公衆衛生装置には、互いに対して長手方向に移動可能であり、各々に扉セグメントが設けられた２つ以上のハウジング部によって形成された地上部が設けられる。本発明による公衆衛生装置は、低い総深さを有し、数多くの場所で地下に設置することができる。２つの移動可能な扉セグメントは、耐破壊性があり、公共空間のために好適である、信頼性のある扉構造をともに形成する。
【０００７】
本発明による公衆衛生装置の第１の好ましい実施形態では、第２の扉セグメントは、第１の扉セグメントの中に摺動可能に受容される。第１の扉セグメントは、この目的のために、少なくとも部分的に中空の形態を採る。中空の扉セグメントは、二重の壁によってより頑丈であり、重量配分がより良好になる。扉構造の信頼性のある動作および耐破壊特性は、本実施形態において最適化される。
【０００８】
第１の好ましい実施形態の実用展開によれば、第２の扉セグメントは、下側に、拡幅ベースを設けられ、第１の扉セグメントは、上側に、ベースを受容する狭窄した長手方向開口を設けられる。延伸している間、第２の扉セグメントは、第１の扉セグメントを自動的に使用位置に運ぶ。ベースは、中央位置において、扉構造のさらなる補強を形成する。ベースは、扉セグメントの所望の調心に寄与する。これにより、望ましくない破損を回避することができる。
【０００９】
実用的な好ましい実施形態では、扉は、使用位置において、開放位置と閉鎖位置との間でハウジングの横方向に移動可能であり、開放位置において、扉は、ハウジングの中に少なくとも部分的に受容される。扉は、摺動扉として組み入れられ、ユーザに対して、また公共空間における通行人に対して、障害物を形成しない。摺動扉を選択することによって、空間の節約をもたらし、コンパクトな設計が可能になる。
【００１０】
この実用的な好ましい実施形態のさらなる実用展開によれば、ハウジングは、開放位置において扉を受容するための、少なくとも部分的に閉鎖された空間をさらに備える。さらなる展開では、扉は、ハウジングの内面に沿って延伸するレールに装着される。
【００１１】
好ましくは、扉は、実質的にまっすぐな表面を有し、それによって、特別に強力な形態を採る。ハウジングの表面は、好ましくは少なくとも部分的に湾曲し、これにより、コンパクトかつ美的な設計をもたらす。
【００１２】
普遍的な実施形態によれば、ハウジングは、第３のハウジング部の中に移動可能に受容される１つ以上のさらなるハウジング部を備え、扉セグメントの数は、使用位置において地上に据え置かれるハウジング部の数に対応する。
【００１３】
本発明による公衆衛生装置の組み合わせバージョンによれば、ハウジングは、２つ以上のウォークイン位置を備え、ウォークイン位置のうち少なくとも１つには、扉が設けられ、ウォークイン位置のうち少なくとも１つには、扉が設けられない。衛生装置は、好ましくは３つのウォークイン位置を有する。組み合わせバージョンは、男性、女性、および／または障碍者用の衛生装置の任意の組み合わせを含むことができる。
【００１４】
別の好ましい実施形態では、ハウジングは、各々が互いの中に摺動可能ないくつかの部分を備える、１つ以上の、好ましくは３つのロッドを備える駆動部を備える。そのような駆動部は、好ましくはハウジングに多数の点で係合し、すべての位置における衛生装置の安定性を保証する。
【００１５】
高度にコンパクトな実施形態では、移動可能なハウジング部は、互いに入れ子状に摺動可能である。ロッドは、油圧シリンダ、好ましくはテレスコープ形シリンダである。
【００１６】
ここで、図面を参照して、本発明をより詳細に説明する。
【図面の簡単な説明】
【００１７】
【図１Ａ】使用位置における、本発明による公衆衛生装置の好ましい実施形態の概略図を示す。
【図１Ｂ】地上および地下両方のハウジング部を有する、図１Ａの好ましい実施形態を示す。
【図２Ａ】半分開放された扉を有する、図１Ａおよび１Ｂの好ましい実施形態の第２のハウジング部を示す。
【図２Ｂ】完全に開放された扉を有する、図２Ａの第２のハウジング部を示す。
【図３Ａ】図２Ａおよび２Ｂの扉の、使用位置における概略正面図を示す。
【図３Ｂ】図２Ａおよび２Ｂの扉の、静止位置における概略正面図を示す。
【図４Ａ】図３Ａの位置における扉を、切欠断面図で示す。
【図４Ｂ】図３Ｂの位置における扉を、切欠断面図で示す。
【図５Ａ】開放の位置における扉を有する、図１Ａの好ましい実施形態の部分切欠上面図を示す。
【図５Ｂ】半分開放の位置における扉を有する、図１Ａの好ましい実施形態の部分切欠上面図を示す。
【図５Ｃ】閉鎖の位置における扉を有する、図１Ａの好ましい実施形態の部分切欠上面図を示す。
【発明を実施するための形態】
【００１８】
図１Ａおよび１Ｂは、使用位置における本発明による公衆衛生装置１の好ましい実施形態を概略的に示す。
【００１９】
ハウジング１０は、地下に設置することが意図された第１のハウジング部１１と、第１のハウジング部１１の中に摺動可能に受容される第２のハウジング部１２と、第２のハウジング部１２の中に摺動可能に受容される第３のハウジング部１３とを備える。第２のハウジング部１２および第３のハウジング部１３は、地下静止位置と地上使用位置との間で摺動可能である。図１Ａは、目に見える地上ハウジング部のみを示している。図１Ｂもまた、地下ハウジング部をさらに付加的に示している。
【００２０】
使用位置では、ハウジング１０のウォークイン位置２０、３０は、使用のためにアクセス可能である。地下静止位置では、上側のみが目に見える。上側は、カバー１４によって形成され、これは、道路面Ｓに一体化させることができる。
【００２１】
公衆衛生装置１のハウジング１０には、それを少なくとも部分的に地中に沈設するための手段が設けられる。当該手段は、静止位置と使用位置との間で移動可能なハウジング部を摺動させるための駆動部を備える。
【００２２】
公衆衛生装置１は、固定設置が意図される。容器は、この目的のために、既存の下水システムに接続するための排水管（図示せず）に接続される。
【００２３】
ハウジングには、１つ以上のウォークイン位置２０、３０が設けられる。ウォークイン位置２０には、好ましい実施形態では、人間の糞便および／または尿のための容器２１が設けられる。示された好ましい実施形態では、容器２１は便器である。示された好ましい実施形態では、ウォークイン位置３０は、尿のための容器３１を備える。示された好ましい実施形態では、容器３１は、小便器である。
【００２４】
本発明によれば、２つ以上のウォークイン位置のうち少なくとも１つには、ウォークイン位置を閉鎖するための扉が設けられる。ウォークイン位置２０には、ウォークイン位置を閉鎖するための扉４０が設けられる。これによって、ウォークイン位置２０が、この目的のために、容器２１に対して着座位置を持ち上げることを望み、かつ部分的に脱衣する必要がある人物による使用に好適なものとなる。本発明による公衆衛生装置１は、それによって、男性および女性の両方による使用に好適である。
【００２５】
図２Ａおよび２Ｂは、ウォークイン位置２０を閉鎖するための扉４０の動作を図示する。図２Ａは、扉４０が半分開放位置にある第２のハウジング部１２のみを示す。図２Ｂは、扉４０が完全開放位置にある第２のハウジング部１２を示す。扉４０は、互いに対して摺動可能な少なくとも２つのセグメント４１、４２を備える。第１の扉セグメント４１は、第２のハウジング部１２の中に配置される。第２の扉セグメント４２は、破線によって示され、第３のハウジング部１３の中に配置される。扉セグメント４１、４２は、図１Ｂにおいては、明確にするために部分的に示されている。
【００２６】
示された好ましい実施形態では、第２の扉セグメント４２は、第１の扉セグメント４１の中に摺動可能に受容される。図３Ａおよび３Ｂは、それぞれの伸縮位置における扉４０を概略正面図の図示によって示す。図４Ａおよび４Ｂは、図３Ａおよび３Ｂでのものと同じ位置における扉４０であるが、ここでは切欠断面図で示す。静止位置から使用位置に移動するとき、およびその逆のとき、扉セグメントは、ハウジング部とともに、長手方向Ｌに摺動する。第２の扉セグメント４２は、下側に、この目的のために中空の形態を採る第１の扉セグメント４１の狭窄した長手方向開口の中に受容される拡幅ベース４３が設けられる。長手方向開口における狭窄は、ベース４３のための止め部として機能する１つ以上の肩４４を位置させることによって得られる。図４Ａは、使用位置において、止め部４４に抗して静止しているベース４３を図示する。
【００２７】
上側扉セグメントは、示された好ましい実施形態では第２の扉セグメント４２であり、ハウジング１０の内面に沿って延伸するレール４５に装着される。示された好ましい実施形態では、レール４５は、第３のハウジング部１３の天井にわたって延伸する。レール４５は、カバー１４に一体化されて配置することができる。レールは、図５Ａ〜５Ｃに図示され、そこにおいては、ハウジング部１３の一部が切欠上面図で概略的に示される。
【００２８】
扉４０、この場合、上側扉セグメント４２は、レール４５のいくつかの懸架点４６によって装着される。各懸架点は、第２の扉セグメント４２の上側に装着され、レール４５におけるガイドのためのガイド要素４８が設けられたランナ４７が設けられる。各下側の、この好ましい実施形態では各第１の扉セグメント４１は、下側に、ウォークイン位置２０の底２２にわたって延伸するレール２３をガイドするためのガイド要素４９が設けられる。
【００２９】
公衆衛生装置１の使用位置では、扉４０は、開放位置と閉鎖位置との間で、ハウジング１０の横方向Ｄに移動可能である。したがって、扉４０は、摺動扉として組み入れられる。
【００３０】
示された好ましい実施形態では、すべての扉セグメントは、中空の形態を採る。しかしながら、このことは、下側の扉セグメント４１についてのみ重要であり、扉セグメント４２およびさらなる扉セグメントについては必須ではない。示された好ましい実施形態では、扉セグメントの数は２つである。これは、使用位置において地上に位置するハウジング部１２、１３の数に対応する。扉セグメントの数は、使用位置において地上に位置するハウジング部の数に概ね対応する。ハウジングは、２つ以上の地上ハウジング部を備えることができる。ハウジングは、複数のウォークイン位置をさらに備えることができ、ウォークイン位置には、本発明による扉を所望されるように設けることができる。示された好ましい実施形態では、ウォークイン位置２０のうち一方のみに扉４０が設けられ、他の２つのウォークイン位置３０には、扉が設けられない。
【００３１】
示された好ましい実施形態では、ハウジング１０の表面は、少なくとも部分的に湾曲している。しかしながら、扉４０の表面は、好ましくは実質的にまっすぐである。
【００３２】
ハウジング１０は、開放位置において扉を受容するための、少なくとも部分的に閉鎖された空間６０をさらに備える。示された好ましい実施形態では、空間６０は、壁６１によってウォークイン位置２０から分離されている。この壁６１は、扉４０の移動のための空間を空けておく。壁６１は、任意である。壁６１を省略することによって、ウォークイン位置２０がより広くなり、身体障碍者用トイレとして構成することが可能になる。扉４０を横方向Ｄに摺動することは、手動および自動の両方で、または半自動で行われることができる。示された好ましい実施形態は、扉４０を閉鎖するための扉クローザ６２を示す。
【００３３】
本発明による公衆衛生装置１は、摺動可能であるハウジング部１２、１３を移動させるための駆動部を備える。駆動部は、１つ以上の、好ましくは３つのロッドを備える。ハウジング１０には、ロッドを受容するための受容空間１５が設けられる。ロッドは、好ましくは油圧シリンダである。好適な油圧シリンダは、テレスコープ形シリンダであり、それらは各々、互いの中に摺動可能ないくつかの部分またはステージを備える。シリンダは、好ましくは二重化制御による形態を取り、ステージの各々には、静止位置から使用位置への移動のためのそれ自体の制御が設けられる。各油圧シリンダは、好ましくは、それ自体の重量の影響下で、使用位置から静止位置へ移動するようにさらに構成される。好適な油圧シリンダは、単動シリンダである。協働するロッドが等しいストロークであることは、駆動部の正確な動作のために重要である。
【００３４】
当然ながら、本発明は、説明され、示された好ましい実施形態に限定されない。例えば、扉セグメントは、他の方法で移動可能であるように、例えば互いに並行して摺動可能である扉セグメントとして組み入れることができる。そして、扉セグメントが中空である必要は全くない。加えて、扉は、横方向に摺動可能である複数の部分で構成することができる。しかしながら、扉は、摺動扉として組み入れられる必要はなく、例えばハウジング上に枢着されたヒンジ式扉にすることもできる。ハウジング部は、好ましくは入れ子状に摺動可能な形態を採るが、これは必須ではない。地下穴は、第１の地下ハウジング部の代替をさらに形成することができる。また、駆動部は、他の方法で、例えばスピンドルによって実現することができる。
【００３５】
したがって、本発明は、請求項において定義されるように、かつ前述の説明および添付の図面に照らして分かるように、保護範囲に含まれるあらゆる実施形態に及ぶ。
【図１Ａ】
0006612870.tif 000002
【図１Ｂ】
0006612870.tif 000003
【図２Ａ】
0006612870.tif 000004
【図２Ｂ】
0006612870.tif 000005
【図３Ａ】
0006612870.tif 000006
【図３Ｂ】
0006612870.tif 000007
【図４Ａ】
0006612870.tif 000008
【図４Ｂ】
0006612870.tif 000009
【図５Ａ】
0006612870.tif 000010
【図５Ｂ】
0006612870.tif 000011
【図５Ｃ】
0006612870.tif 000012